(57)【要約】【課題】受信可能なチャンネルを高速に検索すること。【解決手段】デジタルテレビ受信器２０がデジタル放送を受信している間、アナログテレビ受信器４０は、アナログ放送チャンネルのスキャンを繰り貸してチャンネルテーブルに記憶する。デジタルテレビ受信器２０は、デジタル放送チャンネルのサーチやスキャンを行う場合に、アナログ放送チャンネルを除外したスキップスキャンやスキップサーチを実行することで、デジタル放送チャンネルの検索に要する時間を短縮する。【選択図】      図１
2005064585.tif 000002
【特許請求の範囲】
【請求項１】
アナログ放送を受信するアナログチューナと、デジタル放送を受信するデジタルチューナとを備えた受信装置であって、
所定の周波数帯からアナログ放送が行われているアナログ放送チャンネルを検索するアナログ放送検索手段と、
前記アナログ放送検索手段の検索結果をもとに、アナログ放送に使用されていないチャンネルから選択的にデジタル放送が行われているデジタル放送チャンネルを検索するデジタル放送検索手段と、を備えたことを特徴とする受信装置。
【請求項２】
前記アナログ放送検索手段は、前記デジタルチューナがデジタル放送を受信している間に、前記アナログチューナを使用して前記アナログ放送チャンネルの検索を行うことを特徴とする請求項１に記載の受信装置。
【請求項３】
前記アナログ放送検索手段は、前記デジタルチューナがデジタル放送を受信している間、前記アナログ放送チャンネルの検索を継続的に繰り返すことを特徴とする請求項２に記載の受信装置。
【請求項４】
前記アナログ放送検索手段は、受信電波強度の平均値に基づいてアナログ放送が行われているか否かの判定を行うことを特徴とする請求項１〜３のいずれか一つに記載の受信装置。
【請求項５】
前記アナログ放送検索手段は、受信電波強度の変化量に基づいてアナログ放送が行われているか否かの判定を行うことを特徴とする請求項１〜４のいずれか一つに記載の受信装置。
【請求項６】
前記アナログ放送検索手段は、同期信号の安定度に基づいてアナログ放送が行われているか否かの判定を行うことを特徴とする請求項１〜５のいずれか一つに記載の受信装置。
【請求項７】
前記アナログ放送検索手段は、色副搬送波の安定度に基づいてアナログ放送が行われているか否かの判定を行うことを特徴とする請求項１〜６のいずれか一つに記載の受信装置。
【請求項８】
前記アナログチューナもしくは前記デジタルチューナが放送受信中である場合に、放送を受信していないチューナを用いてアナログ放送およびデジタル放送のどちらも放送していない無放送チャンネルを検出する無放送チャンネル検索手段をさらに備え、該放送受信中のチューナがスキャンもしくはサーチを行う場合に前記無放送チャンネルを除外することを特徴とする請求項１〜７のいずれか一つに記載の受信装置。
【請求項９】
前記デジタルチューナが受信すべきチャンネルを指定され、かつ指定されたチャンネルにデジタル放送が行われていない場合、前記デジタルチューナは指定されたチャンネル近傍のデジタル放送チャンネルを受信することを特徴とする請求項１〜８のいずれか一つに記載の受信装置。
【請求項１０】
アナログ放送を受信するアナログチューナと、デジタル放送を受信するデジタルチューナとを用いる受信方法であって、
所定の周波数帯からアナログ放送が行われているアナログ放送チャンネルを検索するアナログ放送検索工程と、
前記アナログ放送検索工程の検索結果をもとに、アナログ放送に使用されていないチャンネルから選択的にデジタル放送が行われているデジタル放送チャンネルを検索するデジタル放送検索工程と、を含んだことを特徴とする受信方法。
【請求項１１】
前記アナログ放送検索工程は、前記デジタルチューナがデジタル放送を受信している間に、前記アナログチューナを使用して前記アナログ放送チャンネルの検索を行うことを特徴とする請求項１０に記載の受信方法。
【請求項１２】
前記アナログ放送検索工程は、前記デジタルチューナがデジタル放送を受信している間、前記アナログ放送チャンネルの検索を継続的に繰り返すことを特徴とする請求項１１に記載の受信方法。
【請求項１３】
前記アナログ放送検索工程は、受信電波強度の平均値に基づいてアナログ放送が行われているか否かの判定を行うことを特徴とする請求項１０〜１２のいずれか一つに記載の受信方法。
【請求項１４】
前記アナログ放送検索工程は、受信電波強度の変化量に基づいてアナログ放送が行われているか否かの判定を行うことを特徴とする請求項１０〜１３のいずれか一つに記載の受信方法。
【請求項１５】
前記アナログ放送検索工程は、同期信号の安定度に基づいてアナログ放送が行われているか否かの判定を行うことを特徴とする請求項１０〜１４のいずれか一つに記載の受信方法。
【請求項１６】
前記アナログ放送検索工程は、色副搬送波の安定度に基づいてアナログ放送が行われているか否かの判定を行うことを特徴とする請求項１０〜１５のいずれか一つに記載の受信方法。
【請求項１７】
前記アナログチューナもしくは前記デジタルチューナが放送受信中である場合に、放送を受信していないチューナを用いてアナログ放送およびデジタル放送のどちらも放送していない無放送チャンネルを検出する無放送チャンネル検索工程をさらに含み、該放送受信中のチューナがスキャンもしくはサーチを行う場合に前記無放送チャンネルを除外することを特徴とする請求項１０〜１６のいずれか一つに記載の受信方法。
【請求項１８】
前記デジタルチューナが受信すべきチャンネルを指定され、かつ指定されたチャンネルにデジタル放送が行われていない場合、前記デジタルチューナは指定されたチャンネル近傍のデジタル放送チャンネルを受信することを特徴とする請求項１０〜１７のいずれか一つに記載の受信方法。
【発明の詳細な説明】
【０００１】
【発明の属する技術分野】
この発明は、アナログ放送を受信するアナログチューナと、デジタル放送を受信するデジタルチューナとを備えた受信装置およびその受信方法に関し、特に、車載の受信装置において受信可能なチャンネルを高速に検索可能な受信装置および受信方法に関する。
【０００２】
【従来の技術】
近年、映像番組をデジタル化して放送するデジタルテレビ放送が実用化されている。デジタル放送では、高画質化、多チャンネル化、双方向化が実現できるという利点があるので、従来から衛星デジタル放送が行われているのに加え、地上波アナログ放送をデジタル放送に移行させるなどその利用が広がっている。
【０００３】
そこで、現在、デジタル放送を受信するためのデジタルチューナとアナログ放送を受信するためのアナログチューナとを共に備えた受信装置が考案されている。このようにアナログ放送とデジタル放送の両方を受信する場合、アナログ放送が行われているチャンネルとデジタル放送が行われているチャンネルをそれぞれ検索する必要がある。
【０００４】
例えば、特許文献１に示された放送受信装置では、アナログ放送のチューニングとデジタル放送のチャンネルチューニングを並行して実行することにより、アナログ放送とデジタル放送とを共に受信可能な放送装置において、チャンネルチューニングにかかる時間を短縮している。
【０００５】
また、特許文献２に示された受信装置では、デジタルチューナでデジタル放送を受信中に、アナログチューナで受信強度の変化を監視し、デジタルチューナによる受信強度が低下した場合に、受信強度が上昇しているチャンネルが同一内容の放送であると推定している。
【０００６】
【特許文献１】
特開２００１−２４５３７号公報
【特許文献２】
特開２００１−３６４２４号公報
【０００７】
【発明が解決しようとする課題】
ところで、デジタル放送では、受信チャンネルを切り替えた場合に画面表示や音声出力までに１秒程度の時間が必要となる。特に、切替先のチャンネル周波数が特定できておらず、受信可能なチャンネルを探して表示する（サーチする）場合や、所定の周波数帯から放送の行われているチャンネルを全て探す（スキャンする）場合には、この時間が大きな負担となる。
【０００８】
上述した特許文献１では、アナログ放送チャンネルをスキャンして受信可能なチャンネルを記憶するアナログ放送のチャンネルチューニングと、デジタル放送チャンネルをスキャンして受信可能なチャンネルを記憶するデジタル放送のチャンネルチューニングとを並行して行っているが、デジタル放送チャンネルのスキャンに要する時間自体は短縮することができなかった。
【０００９】
さらに、車などの移動体に搭載した受信装置では、移動体の場所の変更に従って受信可能なチャンネルが変わるため、サーチやスキャンが高い頻度で要求されることとなり、この問題が特に顕著である。
【００１０】
上述した特許文献２では、移動につれてチャンネルが変更されることを鑑み、受信強度が低下したチャンネルと同一内容の放送が行われているチャンネルを推測しているが、視聴する放送自体を変更する場合には従来通りのサーチやスキャンを行う必要があり、所望の放送を受信するまでの時間を短縮することはできなかった。
【００１１】
すなわち、従来の受信装置では、デジタル放送チャンネルのサーチやスキャンに長い時間が必要となるという問題点があり、受信可能なチャンネルを高速に検索することが重要な課題となっていた。
【００１２】
上述した従来技術による問題点を解消し、課題を解決するためになされたものであり、受信可能なチャンネルを高速に検索可能な受信装置および受信方法を提供することを目的とする。
【００１３】
【課題を解決するための手段】
上述した課題を解決し、目的を達成するため、請求項１の発明に係る受信装置は、アナログ放送を受信するアナログチューナと、デジタル放送を受信するデジタルチューナとを備えた受信装置であって、所定の周波数帯からアナログ放送が行われているアナログ放送チャンネルを検索するアナログ放送検索手段と、前記アナログ放送検索手段の検索結果をもとに、アナログ放送に使用されていないチャンネルから選択的にデジタル放送が行われているデジタル放送チャンネルを検索するデジタル放送検索手段と、を備えたことを特徴とする。
【００１４】
この請求項１の発明によれば、受信装置は、周波数帯からアナログ放送が行われているチャンネルを検索し、アナログ放送が行われていないチャンネルから選択的にデジタル放送チャンネルを検索する。
【００１５】
また、請求項２の発明に係る受信装置は、請求項１の発明において、前記アナログ放送検索手段は、前記デジタルチューナがデジタル放送を受信している間に、前記アナログチューナを使用して前記アナログ放送チャンネルの検索を行うことを特徴とする。
【００１６】
この請求項２の発明によれば受信装置は、デジタルチューナがデジタル放送を受信している間に、アナログチューナを使用してアナログ放送チャンネルを検索し、デジタル放送チャンネルを検索する場合にアナログ放送が行われていないチャンネルから検索を行う。
【００１７】
また、請求項３の発明に係る受信装置は、請求項２の発明において、前記アナログ放送検索手段は、前記デジタルチューナがデジタル放送を受信している間、前記アナログ放送チャンネルの検索を継続的に繰り返すことを特徴とする。
【００１８】
この請求項３の発明によれば受信装置は、デジタルチューナがデジタル放送を受信している間に、アナログチューナを使用したアナログ放送チャンネルの検索を継続的に繰り返し、デジタル放送チャンネルを検索する場合にアナログ放送が行われていないチャンネルから検索を行う。
【００１９】
また、請求項４の発明に係る受信装置は、請求項１〜３の発明において、前記アナログ放送検索手段は、受信電波強度の平均値に基づいてアナログ放送が行われているか否かの判定を行うことを特徴とする。
【００２０】
この請求項４の発明によれば受信装置は、受信電波強度の平均値に基づいてアナログ放送チャンネルを検索し、アナログ放送が行われていないチャンネルから選択的にデジタル放送チャンネルを検索する。
【００２１】
また、請求項５の発明に係る受信装置は、請求項１〜４の発明において、前記アナログ放送検索手段は、受信電波強度の変化量に基づいてアナログ放送が行われているか否かの判定を行うことを特徴とする。
【００２２】
この請求項５の発明によれば受信装置は、受信電波強度の変化量に基づいてアナログ放送チャンネルを検索し、アナログ放送が行われていないチャンネルから選択的にデジタル放送チャンネルを検索する。
【００２３】
また、請求項６の発明に係る受信装置は、請求項１〜５の発明において、前記アナログ放送検索手段は、同期信号の安定度に基づいてアナログ放送が行われているか否かの判定を行うことを特徴とする。
【００２４】
この請求項６の発明によれば受信装置は、同期信号の安定度に基づいてアナログ放送チャンネルを検索し、アナログ放送が行われていないチャンネルから選択的にデジタル放送チャンネルを検索する。
【００２５】
また、請求項７の発明に係る受信装置は、請求項１〜６の発明において、前記アナログ放送検索手段は、色副搬送波の安定度に基づいてアナログ放送が行われているか否かの判定を行うことを特徴とする。
【００２６】
この請求項７の発明によれば受信装置は、色副搬送波の安定度に基づいてアナログ放送チャンネルを検索し、アナログ放送が行われていないチャンネルから選択的にデジタル放送チャンネルを検索する。
【００２７】
また、請求項８の発明に係る受信装置は、請求項１〜７の発明において、前記アナログチューナもしくは前記デジタルチューナが放送受信中である場合に、放送を受信していないチューナを用いてアナログ放送およびデジタル放送のどちらも放送していない無放送チャンネルを検出する無放送チャンネル検索手段をさらに備え、該放送受信中のチューナがスキャンもしくはサーチを行う場合に前記無放送チャンネルを除外することを特徴とする。
【００２８】
この請求項８の発明によれば受信装置は、アナログチューナもしくはデジタルチューナが放送受信中である場合に、放送を受信していないチューナを用いてアナログ放送およびデジタル放送のどちらも放送していない無放送チャンネルを検出し、放送受信中のチューナがスキャンもしくはサーチを行う場合に無放送チャンネルを除外する。
【００２９】
また、請求項９の発明に係る受信装置は、請求項１〜８の発明において、前記デジタルチューナが受信すべきチャンネルを指定され、かつ指定されたチャンネルにデジタル放送が行われていない場合、前記デジタルチューナは指定されたチャンネル近傍のデジタル放送チャンネルを受信することを特徴とする。
【００３０】
この請求項９の発明によれば受信装置は、デジタルチューナが受信すべきチャンネルを指定され、かつ指定されたチャンネルにデジタル放送が行われていない場合、指定されたチャンネル近傍のデジタル放送チャンネルを受信する。
【００３１】
また、請求項１０の発明に係る受信方法は、アナログ放送を受信するアナログチューナと、デジタル放送を受信するデジタルチューナとを用いる受信方法であって、所定の周波数帯からアナログ放送が行われているアナログ放送チャンネルを検索するアナログ放送検索工程と、前記アナログ放送検索工程の検索結果をもとに、アナログ放送に使用されていないチャンネルから選択的にデジタル放送が行われているデジタル放送チャンネルを検索するデジタル放送検索工程と、を含んだことを特徴とする。
【００３２】
この請求項１０の発明によれば受信方法は、周波数帯からアナログ放送が行われているチャンネルを検索し、アナログ放送が行われていないチャンネルから選択的にデジタル放送チャンネルを検索する。
【００３３】
また、請求項１１の発明に係る受信方法は、請求項１０の発明において、前記アナログ放送検索工程は、前記デジタルチューナがデジタル放送を受信している間に、前記アナログチューナを使用して前記アナログ放送チャンネルの検索を行うことを特徴とする。
【００３４】
この請求項１１の発明によれば受信方法は、デジタルチューナがデジタル放送を受信している間に、アナログチューナを使用してアナログ放送チャンネルを検索し、デジタル放送チャンネルを検索する場合にアナログ放送が行われていないチャンネルから検索を行う。
【００３５】
また、請求項１２の発明に係る受信方法は、請求項１１の発明において、前記アナログ放送検索工程は、前記デジタルチューナがデジタル放送を受信している間、前記アナログ放送チャンネルの検索を継続的に繰り返すことを特徴とする。
【００３６】
この請求項１２の発明によれば受信方法は、デジタルチューナがデジタル放送を受信している間に、アナログチューナを使用したアナログ放送チャンネルの検索を継続的に繰り返し、デジタル放送チャンネルを検索する場合にアナログ放送が行われていないチャンネルから検索を行う。
【００３７】
また、請求項１３の発明に係る受信方法は、請求項１０〜１２の発明において、前記アナログ放送検索工程は、受信電波強度の平均値に基づいてアナログ放送が行われているか否かの判定を行うことを特徴とする。
【００３８】
この請求項１３の発明によれば受信方法は、受信電波強度の平均値に基づいてアナログ放送チャンネルを検索し、アナログ放送が行われていないチャンネルから選択的にデジタル放送チャンネルを検索する。
【００３９】
また、請求項１４の発明に係る受信方法は、請求項１０〜１３の発明において、前記アナログ放送検索工程は、受信電波強度の変化量に基づいてアナログ放送が行われているか否かの判定を行うことを特徴とする。
【００４０】
この請求項１４の発明によれば受信方法は、受信電波強度の変化量に基づいてアナログ放送チャンネルを検索し、アナログ放送が行われていないチャンネルから選択的にデジタル放送チャンネルを検索する。
【００４１】
また、請求項１５の発明に係る受信方法は、請求項１０〜１４の発明において、前記アナログ放送検索工程は、同期信号の安定度に基づいてアナログ放送が行われているか否かの判定を行うことを特徴とする。
【００４２】
この請求項１５の発明によれば受信方法は、同期信号の安定度に基づいてアナログ放送チャンネルを検索し、アナログ放送が行われていないチャンネルから選択的にデジタル放送チャンネルを検索する。
【００４３】
また、請求項１６の発明に係る受信方法は、請求項１０〜１５の発明において、前記アナログ放送検索工程は、色副搬送波の安定度に基づいてアナログ放送が行われているか否かの判定を行うことを特徴とする。
【００４４】
この請求項１６の発明によれば受信方法は、色副搬送波の安定度に基づいてアナログ放送チャンネルを検索し、アナログ放送が行われていないチャンネルから選択的にデジタル放送チャンネルを検索する。
【００４５】
また、請求項１７の発明に係る受信方法は、請求項１０〜１６の発明において、前記アナログチューナもしくは前記デジタルチューナが放送受信中である場合に、放送を受信していないチューナを用いてアナログ放送およびデジタル放送のどちらも放送していない無放送チャンネルを検出する無放送チャンネル検索工程をさらに含み、該放送受信中のチューナがスキャンもしくはサーチを行う場合に前記無放送チャンネルを除外することを特徴とする。
【００４６】
この請求項１７の発明によれば受信方法は、アナログチューナもしくはデジタルチューナが放送受信中である場合に、放送を受信していないチューナを用いてアナログ放送およびデジタル放送のどちらも放送していない無放送チャンネルを検出し、放送受信中のチューナがスキャンもしくはサーチを行う場合に無放送チャンネルを除外する。
【００４７】
また、請求項１８の発明に係る受信方法は、請求項１０〜１７の発明において、前記デジタルチューナが受信すべきチャンネルを指定され、かつ指定されたチャンネルにデジタル放送が行われていない場合、前記デジタルチューナは指定されたチャンネル近傍のデジタル放送チャンネルを受信することを特徴とする。
【００４８】
この請求項１８の発明によれば受信方法は、デジタルチューナが受信すべきチャンネルを指定され、かつ指定されたチャンネルにデジタル放送が行われていない場合、指定されたチャンネル近傍のデジタル放送チャンネルを受信する。
【００４９】
【発明の実施の形態】
以下に添付図面を参照し、この発明に係る受信装置および受信方法の好適な実施の形態である車載テレビ装置について説明する。
【００５０】
（実施の形態１）
まず、本実施の形態１にかかる車載テレビ装置１の概要構成について説明する。図１は、本実施の形態１にかかる車載テレビ装置の概要構成を示す概要構成図である。図１において車載テレビ装置１は、アンテナ２，４、デジタルテレビ受信器２０、アナログテレビ受信器４０、主制御部１１、切替部１２およびモニタ１３を有する。
【００５１】
デジタルテレビ受信器２０は、アンテナ２と接続され、デジタル放送を受信して切替部１２に出力する。また、アナログテレビ受信器４０は、アンテナ４と接続され、アナログ放送を受信して切替部１２に出力する。
【００５２】
主制御部１１は、車載テレビ装置１を全体制御する制御部であり、デジタルテレビ受信器２０、アナログテレビ受信器４０を制御するとともに、切替部１２を制御してデジタル放送とアナログ放送のいずれかをモニタ１３に表示させる。
【００５３】
デジタルテレビ受信器２０は、その内部にデジタルチューナ２１、ＣＰＵ２２、チャンネルテーブル２３、ＭＰＥＧデコーダ２４およびデジタル復調部２５を有する。
【００５４】
デジタルチューナ２１は、ＣＰＵ２２によって指定されたチャンネルの受信を行う。デジタル復調部２５は、デジタルチューナ２１が受信したチャンネルからＴＳ（Ｔｒａｎｓｐｏｒｔ  Ｓｔｒｅａｍ）パケットを取り出す。ＭＰＥＧデコーダ２４は、このＴＳパケットを動画データに変換して切替部１２に出力する。
【００５５】
より詳細には、デジタル復調部２５は、その内部にＡＧＣ（ａｕｔｏｍａｔｉｃ  ｇａｉｎ  ｃｏｎｔｒｏｌ）３１、ＡＤＣ（Ａｎａｌｏｇ−ｔｏ−Ｄｉｇｉｔａｌ  Ｃｏｎｖｅｒｔｅｒ）３２、データシンボル読み出し部３３、復号処理部３４およびＴＳバッファ３５を有する。ＡＤＣ３２は、デジタルチューナ２１が受信した受信電波をデジタル信号に変換してデータシンボル読み出し部３３に出力する。データシンボル読み出し部３３は、ＡＤＣによってデジタル化された受信電波からデータシンボルを読み出して復号処理部３４に出力する。またＡＧＣ３１は、データシンボル読み出し部３３と接続され、受信電波の強度（受信強度）をもとにデジタルチューナ２１の利得制御を行う。
【００５６】
復号処理部３４は、データシンボルに対して復号処理を実行し、ＴＳパケットを取り出す。このＴＳパケットは、ＴＳバッファ３５に蓄積されたのち、ＭＰＥＧでデコーダ２４に出力される。
【００５７】
ＣＰＵ２２は、デジタルチューナ２１、デジタル復調部２５およびＭＰＥＧでコーダ２４を制御する制御部として機能する。また、ＣＰＵ２２は、ＲＡＭ等のメモリで構成されたチャンネルテーブル２３と接続される。チャンネルテーブル２３は、デジタル放送が行われているチャンネル、すなわちデジタル放送チャンネルを記憶している。
【００５８】
ＣＰＵ２２は、デジタル放送チャンネルのサーチやスキャンを行った場合に、その結果をチャンネルテーブル２３に記憶させる。ここで、デジタル放送チャンネルのサーチとは、現在の周波数（チャンネル）から高周波数側もしくは低周波数側に向けて受信可能なチャンネル、すなわちデジタル放送に使用されているチャンネルを検索し、受信可能なチャンネルを見出した場合にそのデジタル放送を受信し、表示する処理をいう。
【００５９】
また、デジタル放送チャンネルのスキャンとは、周波数帯の全てのチャンネルについて順次受信可否の判定を行い、デジタル放送が行われているチャンネルを検出する処理をいう。このスキャンを行うことより、チャンネルテーブル２３を完成させることができるので、次に受信するチャンネルを変更する場合に、サーチを行うことなく所望のチャンネルを指定して放送の受信を行うことができる。
【００６０】
アナログテレビ受信器４０は、その内部にアナログチューナ４１、ＣＰＵ４２、チャンネルテーブル４３、ＩＦ検波器４４、増幅器４５、平均化処理部４６、ＡＧＣ４７およびアナログ復調部４８を有する。
【００６１】
アナログチューナ４１は、ＣＰＵ４２によって指定されたチャンネルの受信を行う。ＩＦ検波器４４は、アナログチューナ４１が受信した受信電波に対してＩＦ検波を行い、増幅器４５に出力する。増幅器４５は、ＩＦ検波器４４の出力を増幅しコンポジットビデオ信号としてＡＧＣ４７およびアナログ復調部４８に出力する。ＡＧＣ４７は、増幅器４５の出力をもとにアナログチューナ４１および増幅器４５の利得制御を行う。また、平均化処理部４６は、ＡＧＣ４７が出力したコンポジットビデオ信号の電圧値を取得し、数ライン分を平均化してＣＰＵ４２に出力する。
【００６２】
アナログ復調部４８は、コンポジットビデオ信号から画像信号および同期信号を取り出して切り替え部１２に出力する。より詳細には、アナログ復調部４８は、その内部に同期分離部５１、ＡＦＣ５２、ＹＣ分離部５３およびＲＧＢ復調部５４を有する。
【００６３】
同期分離部５１は、コンポジットビデオ信号から同期信号を分離してＡＦＣ５２に出力する。ＡＦＣ５２は、同期信号に対して自動周波数制御を実行して安定化し、ＲＧＢ復調部５４および切り替え部１２に供給する。
【００６４】
一方、ＹＣ分離部５３は、コンポジットビデオ信号からＹ信号（輝度信号）およびＣ信号（色信号）をそれぞれ分離し、ＲＧＢ復調部５４に供給する。ＲＧＢ復調器５４は、ＡＦＣ５２から供給された同期信号に基づいて、Ｙ信号およびＣ信号に対してＲＧＢ復調を実行し、画像信号として切替部１２に出力する。
【００６５】
ＣＰＵ４２は、アナログチューナ４１およびアナログ復調部４８を制御する制御部として機能する。また、ＣＰＵ４２は、ＲＡＭ等のメモリで構成されたチャンネルテーブル４３と接続される。チャンネルテーブル４３は、アナログ放送が行われているチャンネル、すなわちアナログ放送チャンネルを記憶している。
【００６６】
ＣＰＵ４２は、アナログ放送チャンネルのサーチやスキャンを行った場合に、その結果をチャンネルテーブル４３に記憶させる。ここで、アナログ放送チャンネルのサーチとは、現在の周波数（チャンネル）から高周波数側もしくは低周波数側に向けて受信可能なチャンネル、すなわちアナログ放送に使用されているチャンネルを検索し、受信可能なチャンネルを見出した場合にそのアナログ放送を受信し、表示する処理をいう。
【００６７】
また、アナログ放送チャンネルのスキャンとは、周波数帯の全てのチャンネルについて順次受信可否の判定を行い、アナログ放送が行われているチャンネルを検出する処理をいう。このスキャンを行うことより、チャンネルテーブル４３を完成させることができるので、次に受信するチャンネルを変更する場合に、サーチを行うことなく所望のチャンネルを指定して放送の受信を行うことができる。
【００６８】
ここで、ＣＰＵ４２は、あるチャンネルにおける放送の受信可否を判定する際に、平均化処理部４６が出力した平均値が所定の閾値以上であれば放送を受信可能であると判定する。
【００６９】
つぎに、チャンネルテーブル２３，４３の具体例について説明する。チャンネルテーブル２３はデジタル放送チャンネルを、チャンネルテーブル４３は、アナログ放送チャンネルをそれぞれ記憶しているが、その構成は同様であるので、ここではチャンネルテーブル２３を用いて説明する。
【００７０】
図２は、チャンネルテーブル２３の具体例を説明する説明図である。図２においてチャンネルテーブル２３ａは、所定の周波数帯に割り当てられたチャンネルについて、放送（ここではデジタル放送）の有無を記憶している。具体的には、チャンネルテーブル２３ａでは、２チャンネル、４チャンネル、６チャンネルで放送が行われていることが記憶されている。
【００７１】
さらに、チャンネルテーブル２３ａは、利用者が最後に視聴したチャンネルとして「４チャンネル」を記憶している。このように利用者による最終視聴チャンネルを記憶するのは、利用者がデジタル放送の視聴を中断してアナログ放送の視聴を行い、再びデジタル放送を視聴する場合に、利用者が元々視聴していたチャンネルを自動的に表示させるためである。
【００７２】
ところで、どのチャンネルに放送が存在するかは、その地域によって異なる。
特定の地域で使用されるテレビ装置では、一旦チャンネルテーブルを作成すれば更新する必要性は低いが、車載用のテレビ装置ではその移動に伴って放送が行われているチャンネルの配置が変動する。
【００７３】
図２に示したチャンネルテーブル２３ｂは、放送チャンネルの配置が変動したチャンネルテーブルである。チャンネルテーブル２３ａでは、２チャンネル、４チャンネル、６チャンネルで放送が行われていたが、チャンネルテーブル２３ｂでは、１チャンネル、３チャンネル、５チャンネル、７チャンネルで放送が行われている。
【００７４】
したがって、車載テレビ装置１では、チャンネル配置の変動に伴い、頻繁にチャンネルテーブルを更新する必要が生じる。また、チャンネル配置が変動した後、最終視聴チャンネルに復帰を試みたとしても、元々視聴していたチャンネルでは放送が行われていない場合がある。
【００７５】
例えば、チャンネルテーブル２３ｂでは、チャンネルテーブル２３ａの時点で記憶した最終視聴チャンネルである６チャンネルには放送が存在しない。この場合は、最終視聴チャンネルから高周波側、もしくは低周波側に検索をおこない、最初に発見した放送チャンネルを受信すれば良い。チャンネルテーブル２３ｂでは、最終視聴チャンネルである４チャンネルから検索を開始し、放送が存在する３チャンネル、もしくは５チャンネルを受信することとなる。
【００７６】
一方、チャンネルテーブルを更新する場合、所定の周波数帯を再度スキャンする必要がある。しかし、放送チャンネルのスキャンでは、それぞれのチャンネルの受信確認を行うため、更新完了までに長い時間が必要である。特に、デジタル放送ではそれぞれのチャンネルの受信確認に１秒程度かかるため、更新完了までの時間はさらに長くなる。
【００７７】
ここで、デジタル放送とアナログ放送とが同一のチャンネルを使用することはできないので、各チャンネルは、放送なし（無放送チャンネル）、デジタル放送チャンネル、アナログ放送チャンネルのいずれかである。そこで、車載テレビ装置１では、デジタル放送チャンネルのスキャンを行う場合に、アナログ放送チャンネルを記憶したチャンネルテーブル４３を参照し、周波数帯域のうち、アナログ放送チャンネルを除外してスキャンをおこなう。
【００７８】
図３は、車載テレビ装置１におけるデジタル放送スキャンを説明する説明図である。同図に示すように、通常のスキャンでは、まず１チャンネルがデジタル放送チャンネルであるか否かを判定し、つぎに２チャンネルがデジタル放送チャンネルであるか否かを判定する。その後、３チャンネル、４チャンネル、５チャンネル、６チャンネル、７チャンネル、と順次受信確認を実行する。
【００７９】
一方、アナログ放送チャンネルを除外したスキャン（スキップスキャン）では、アナログ放送のチャンネルテーブル４３を参照することで２チャンネル、４チャンネルおよび６チャンネルがアナログ放送チャンネルであることが分かるので、まず１チャンネルがデジタル放送チャンネルであるか否かを判定した後、２チャンネルに対する受信確認を行わずに、３チャンネルの受信確認を実行する。同様に、４チャンネルおよび６チャンネルに対する受信確認がスキップされる。すなわち、スキップスキャンでは、１チャンネル、３チャンネル、５チャンネル、７チャンネル、と受信確認を実行する。
【００８０】
このように、アナログ放送チャンネルをスキップすることによって、デジタル放送チャンネルのスキャンに要する時間を大きく短縮することができる。
【００８１】
さらに、デジタルテレビ受信器２０がデジタル放送を受信中の間に、アナログテレビ受信器４０によってアナログ放送チャンネルのスキャンを繰り返し実行させ、チャンネルテーブル４３を常に更新しておくことで、デジタルテレビ受信器２０によるスキャン実行時に常にスキップスキャンを利用することができることとなる。
【００８２】
つぎに、アナログテレビ受信器４０の処理動作について説明する。図４は、アナログテレビ受信器４０の処理動作を説明するフローチャートである。この処理動作は、車載テレビ装置１の電源が入っており、かつ所定のアナログ放送の受信が指示されていない場合に繰り返し実行される。図４に示すように、まず、アナログテレビ受信器４０は、アナログ放送チャンネルのスキャンを開始し（ステップＳ１０１）、最初のチャンネル（例えば１チャンネル）を受信可否の判定対象に設定する（ステップＳ１０２）。
【００８３】
つぎに、アナログテレビ受信器４０は、判定対象のチャンネルの受信可否を判定し（ステップＳ１０３）、受信できたならば（ステップＳ１０４，Ｙｅｓ）、そのチャンネルでアナログ放送が行われていることをチャンネルテーブル４３に記憶させる（ステップＳ１０５）とともに、デジタルテレビ受信器２０に通知する（ステップＳ１０６）。
【００８４】
ステップＳ１０６終了後、もしくは受信ができなかった場合（ステップＳ１０４，Ｎｏ）、アナログテレビ受信器４０は、周波数帯の全てのチャンネルについて受信可否判定が終了したか否かを判定する（ステップＳ１０７）。
【００８５】
まだ受信判定が終了していないチャンネルがある場合（ステップＳ１０７，Ｎｏ）、アナログテレビ受信器４０は、次のチャンネルを判定対象に設定し（ステップＳ１０８）、そのチャンネルの受信可否判定を実行する（ステップＳ１０３）。
【００８６】
一方、全てのチャンネルについて判定が終了したならば（ステップＳ１０７，Ｙｅｓ）、アナログテレビ受信器４０はスキャン処理を終了する。
【００８７】
このように、車載テレビ装置１の電源が入っており、かつ特定のアナログ放送チャンネルの受信が指示されていない場合、アナログテレビ受信器４０は、アナログ放送チャンネルのスキャンを繰り返すので、チャンネルテーブル４３を常に最新の状態に保ち、デジタルテレビ受信器２０によるスキャン実行時に常にスキップスキャンを利用することができる。
【００８８】
つぎに、デジタルテレビ受信器２０がスキャンを実行する場合の処理動作について説明する。図５は、デジタルテレビ受信器２０がスキャンを実行する場合の処理動作を説明するフローチャートである。図５に示すように、デジタルテレビ受信器２０は、主制御部１１からデジタル放送チャンネルのスキャン要求を受け付けたならば（ステップＳ２０１）、まず、最初のチャンネルを判定対象に設定する（ステップＳ２０２）。
【００８９】
その後、デジタルテレビ受信器２０は、アナログ放送のチャンネルテーブルを検索し（ステップＳ２０３）、判定対象のチャンネルがアナログ放送に使われているか否かを判定する（ステップＳ２０４）。判定対象のチャンネルがアナログ放送に使われていない場合（ステップＳ２０４，Ｎｏ）、デジタルテレビ受信器２０はそのチャンネルの受信可否を判定する（ステップＳ２０５）。
【００９０】
判定対象のチャンネルでデジタル放送が受信できたならば（ステップＳ２０６，Ｙｅｓ）、デジタルテレビ受信器２０は、そのチャンネルでデジタル放送が行われていることをチャンネルテーブル２３に記憶させる（ステップＳ２０７）。
【００９１】
ステップＳ２０７終了後、また、判定対象のチャンネルでデジタル放送が受信できなかった場合（ステップＳ２０６，Ｎｏ）、もしくは判定対象のチャンネルがアナログ放送に使われている場合（ステップＳ２０４，Ｙｅｓ）、デジタルテレビ受信器２０は、周波数帯の全てのチャンネルについて受信可否判定が終了したか否かを判定する（ステップＳ２０８）。
【００９２】
まだ受信判定が終了していないチャンネルがある場合（ステップＳ２０８，Ｎｏ）、デジタルテレビ受信器２０は、次のチャンネルを判定対象に設定し（ステップＳ２０９）、そのチャンネルがアナログ放送に使われているか否かを判定する（ステップＳ２０４）。一方、全てのチャンネルについて判定が終了したならば（ステップＳ２０８，Ｙｅｓ）、デジタルテレビ受信器２０は、処理を終了する。
【００９３】
なお、デジタル放送チャンネルのスキャン時に参照するアナログ放送チャンネルのチャンネルテーブルは、アナログテレビ受信器４０が記憶するチャンネルテーブル４３であってもよいし、デジタルテレビ受信器２０側でアナログ放送用のチャンネルテーブルを記憶しておいてもよい。デジタルテレビ受信器２０側でアナログ放送のチャンネルテーブルを記憶する場合、アナログテレビ受信器４０がアナログ放送チャンネルのスキャンを行った時点でそのスキャン結果を受信し、デジタルテレビ受信器２０の内部に記憶しておく。
【００９４】
ところで、デジタル放送チャンネルのスキャンを行う場合に、アナログ放送およびデジタル放送のいずれも放送されていない無放送チャンネルが判明していれば、無放送チャンネルの受信可否判定をスキップし、さらに高速化を行うことができる。
【００９５】
具体的には、アナログテレビ受信器４０がスキャンを実行する場合に、無放送チャンネルを識別し、アナログ放送チャンネルに加えて無放送チャンネルを記憶すればよい。図６は、無放送チャンネルを記憶したチャンネルテーブルを説明する説明図である。同図に示したチャンネルテーブル２３ｃでは、１チャンネル，３チャンネル，５チャンネル，７チャンネルをアナログ放送チャンネルとして記憶し、５チャンネルを最終視聴チャンネルとして記憶するとともに、４チャンネルを無放送チャンネルとして記憶している。
【００９６】
したがって、デジタルテレビ受信器２０がデジタル放送チャンネルのスキャンを行う場合、図７に示すようにアナログ放送チャンネルおよび無放送チャンネルを除外した２チャンネルおよび６チャンネルの受信可否判定を実行することとなる。
【００９７】
アナログテレビ受信器４０における無放送チャンネルの識別は、より具体的には、平均化処理部４６が出力した平均値と所定の閾値とを比較し、閾値未満であれば、そのチャンネルが無放送チャンネルであると判定する。
【００９８】
無放送チャンネルの識別を行う場合におけるアナログテレビ受信器４０のスキャン処理について、図８を参照して説明する。図８は、無放送チャンネルの識別を行う場合におけるアナログテレビ受信器４０の処理動作を説明するフローチャートである。この処理動作は、車載テレビ装置１の電源が入っており、かつ所定のアナログ放送の受信が指示されていない場合に繰り返し実行される。図８に示すように、まず、アナログテレビ受信器４０は、アナログ放送チャンネルのスキャンを開始し（ステップＳ３０１）、最初のチャンネル（例えば１チャンネル）を受信可否の判定対象に設定する（ステップＳ３０２）。
【００９９】
その後、アナログテレビ受信器４０は、平均化処理部４６が出力した平均値を所定の閾値と比較し、受信強度が閾値に満たなければ（ステップＳ３０３，Ｎｏ）、そのチャンネルが放送に使用されていない、すなわち無放送チャンネルであると判定する（ステップＳ３１０）。
【０１００】
一方、受信強度が閾値以上である場合（ステップＳ３０３，Ｙｅｓ）、アナログテレビ受信器４０は、そのチャンネルでアナログ放送が受信できるか否かを判定する（ステップＳ３０４）。
【０１０１】
そのチャンネルでアナログ放送が受信できた場合（ステップＳ３０４，Ｙｅｓ）、もしくはそのチャンネルが無放送チャンネルであると判定した場合（ステップＳ３１０）、アナログテレビ受信器４０は、そのチャンネルがアナログ放送チャンネル、もしくは無放送チャンネルであることをチャンネルテーブル４３に記録する（ステップＳ３０５）とともに、デジタルテレビ受信器２０に通知する（ステップＳ３０６）。
【０１０２】
ステップＳ３０６終了後、もしくはアナログ放送が受信できなかった場合（ステップＳ３０４，Ｎｏ）、アナログテレビ受信器４０は、周波数帯の全てのチャンネルについて受信可否判定が終了したか否かを判定する（ステップＳ３０７）。
【０１０３】
まだ受信判定が終了していないチャンネルがある場合（ステップＳ３０７，Ｎｏ）、アナログテレビ受信器４０は、次のチャンネルを判定対象に設定し（ステップＳ３０８）、そのチャンネルの受信可否判定を実行する（ステップＳ３０３）。
【０１０４】
一方、全てのチャンネルについて判定が終了したならば（ステップＳ３０７，Ｙｅｓ）、アナログテレビ受信器４０は処理を終了する。
【０１０５】
このように、車載テレビ装置１の電源が入っており、かつ特定のアナログ放送チャンネルの受信が指示されていない場合、アナログテレビ受信器４０は、アナログ放送チャンネルおよび無放送チャンネルのスキャンを繰り返す。そこで、デジタルテレビ受信器２０は、デジタル放送のスキャンをおこなう場合に、アナログ放送チャンネルおよび無放送チャンネルをスキップしてスキャンを行うことができる。
【０１０６】
つぎに、アナログ放送チャンネルと無放送チャンネルとをスキップする場合のデジタルテレビ受信器２０がスキャン動作について説明する。図９は、デジタルテレビ受信器２０がアナログ放送チャンネルと無放送チャンネルをスキップする場合の処理動作を説明するフローチャートである。図９に示すように、デジタルテレビ受信器２０は、主制御部１１からデジタル放送チャンネルのスキャン要求を受け付けたならば（ステップＳ４０１）、まず、最初のチャンネルを判定対象に設定する（ステップＳ４０２）。
【０１０７】
その後、デジタルテレビ受信器２０は、チャンネルテーブルを確認し、判定対象のチャンネルが無放送チャンネルであるか否かを判定する（ステップＳ４０３）。判定対象のチャンネルが無放送チャンネルではない場合（ステップＳ４０３，Ｎｏ）、デジタルテレビ受信器２０は、チャンネルテーブルを確認し、そのチャンネルがアナログ放送チャンネルであるか否かを判定する（ステップＳ４０４）。判定対象のチャンネルがアナログ放送チャンネルである場合（ステップＳ４０４，Ｎｏ）、デジタルテレビ受信器２０はそのチャンネルの受信可否を判定する（ステップＳ４０５）。
【０１０８】
判定対象のチャンネルでデジタル放送が受信できたならば（ステップＳ４０６，Ｙｅｓ）、デジタルテレビ受信器２０は、そのチャンネルがデジタル放送チャンネルであることをチャンネルテーブルに記録する（ステップＳ４０７）。
【０１０９】
ステップＳ４０７終了後、判定対象のチャンネルでデジタル放送が受信できなかった場合（ステップＳ４０６，Ｎｏ）、判定対象のチャンネルがアナログ放送チャンネルである場合（ステップＳ４０４，Ｙｅｓ）、もしくは判定対象のチャンネルが無放送チャンネルである場合（ステップＳ４０３）、デジタルテレビ受信器２０は、周波数帯の全てのチャンネルについて受信可否判定が終了したか否かを判定する（ステップＳ４０８）。
【０１１０】
まだ受信判定が終了していないチャンネルがある場合（ステップＳ４０８，Ｎｏ）、デジタルテレビ受信器２０は、次のチャンネルを判定対象に設定し（ステップＳ４０９）、そのチャンネルが無放送チャンネルであるか否かを判定する（ステップＳ４０３）。一方、全てのチャンネルについて判定が終了したならば（ステップＳ４０８，Ｙｅｓ）、デジタルテレビ受信器２０は、処理を終了する。
【０１１１】
このように、デジタルテレビ受信器２０は、アナログ放送チャンネルと無放送チャンネルとをスキップすることで、デジタル放送チャンネルのスキャンをさらに高速に実行できる。
【０１１２】
上述してきたように、本実施の形態１に示した車載テレビ装置１では、デジタルテレビ受信器２０がデジタル放送を受信している間に、アナログテレビ受信器２０がアナログ放送のスキャンを繰り返してアナログ放送のチャンネルテーブル４３を最新の状態に維持し、デジタルテレビ受信器２０がスキャンを行う場合にアナログ放送チャンネルを除外したスキップスキャンを実行することで、デジタル放送チャンネルのスキャンを高速化している。
【０１１３】
また、アナログテレビ受信器４０がスキャンを行う場合に、受信強度の平均値が閾値未満であるチャンネルを無放送チャンネルであると判定し、デジタルテレビ受信器２０がスキャンを行う場合にアナログ放送チャンネルおよび無放送チャンネルを除外したスキップスキャンを実行することで、デジタル放送チャンネルのスキャンをさらに高速化している。
【０１１４】
なお、この実施の形態１では、アナログ放送のチャンネルテーブルを使用してデジタル放送のスキャンを高速化する場合について説明したが、デジタル放送のチャンネルテーブルをアナログ放送のスキャンの高速化に利用しても良い。
【０１１５】
デジタル放送のチャンネルテーブルをアナログ放送のスキャンの高速化に利用する場合、アナログテレビ受信器４０がアナログ放送を受信している間に、デジタルテレビ受信器４０がデジタル放送のスキャンを繰り返してデジタル放送のチャンネルテーブル２３を最新の状態に維持し、アナログテレビ受信器４０がスキャンを行う場合にデジタル放送チャンネルを除外してスキップスキャンすればよい。
【０１１６】
また、この実施の形態１では、デジタル放送チャンネルをスキャンする場合の高速化について説明したが、デジタル放送チャンネルをサーチする場合であっても同様に、アナログ放送チャンネルを除外したスキップサーチを行うことで検索を高速化できる。
【０１１７】
（実施の形態２）
上述した実施の形態１では、受信強度の平均値に基づいてそのチャンネルにアナログ放送が行われているか否かの判定を行っていた。しかし、アナログ放送の有無を判定する方法は、受信強度の平均値に基づく方法に限定されるものではない。本実施の形態２では、アナログ放送の有無を判定する他の方法について説明する。
【０１１８】
アナログ放送の有無を判定する方法として、例えば、受信強度の変化量を用いることができる。図１０は、受信強度の変化量を用いてアナログ放送の受信可否を判定する車載テレビ装置の概要構成を示す図である。同図に示すように、車載テレビ装置１ａは、デジタルテレビ受信器２０、アナログテレビ受信器６０、主制御部１１、切替部１２．モニタ１３を有する。
【０１１９】
ここで、デジタルテレビ受信器２０、主制御部１１、切替部１２およびモニタ１３の構成および動作は、実施の形態１に示した車載テレビ装置１と同様であるので、同一の符号を付して説明を省略する。
【０１２０】
アナログテレビ受信器６０は、その内部にアナログチューナ４１、ＣＰＵ４２、チャンネルテーブル４３、ＩＦ検波器４４、増幅器４５、変化量算出部６１、ＡＧＣ４７およびアナログ復調部４８を有する。なお、アナログチューナ４１、ＣＰＵ４２、チャンネルテーブル４３、ＩＦ検波器４４、増幅器４５、ＡＧＣ４７およびアナログ復調部４８の構成および動作は、実施の形態１に示した車載テレビ装置１と同様であるので、同一の符号を付して説明を省略する。
【０１２１】
変化量算出部６１は、ＡＧＣ４７が出力したコンポジットビデオ信号の変化量を算出してＣＰＵ４２に出力する。この変化量算出部６１の概要構成を図１１に示す。同図に示すように、変化量算出部６１は、絶対値回路６１ａおよび遅延回路６１ｂを有する。遅延回路６１ｂは、コンポジットビデオ信号を所定量遅延させる。この遅延させたコンポジットビデオ信号と元のコンポジットビデオ信号との差分を取り、絶対値回路６１ａによって絶対値を算出することで、コンポジットビデオ信号の変化量を算出することができる。
【０１２２】
ＣＰＵ４２は、このコンポジットビデオ信号の変化量と所定の閾値とを比較し、閾値未満である場合に放送を受信可能であると判定する。車載のテレビ装置では車両の位置によって電波受信強度が変化するが、このようにコンポジットビデオ信号の変化が一定以下であれば、電波の受信状態が安定していると判断でき、安定した品質の放送受信をおこなうことができる。
【０１２３】
また、アナログ放送の有無を判定する方法として、同期信号の安定度を用いてもよい。図１２は、同期信号の安定度を用いてアナログ放送の受信可否を判定する車載テレビ装置の概要構成を示す図である。同図に示すように、車載テレビ装置１ｂは、デジタルテレビ受信器２０、アナログテレビ受信器６０ａ、主制御部１１、切替部１２、モニタ１３を有する。
【０１２４】
ここで、デジタルテレビ受信器２０、主制御部１１、切替部１２およびモニタ１３の構成および動作は、実施の形態１に示した車載テレビ装置１と同様であるので、同一の符号を付して説明を省略する。
【０１２５】
アナログテレビ受信器６０ａは、その内部にアナログチューナ４１、ＣＰＵ４２、チャンネルテーブル４３、ＩＦ検波器４４、増幅器４５、ＡＧＣ４７およびアナログ復調部４８ａを有する。なお、アナログチューナ４１、ＣＰＵ４２、チャンネルテーブル４３、ＩＦ検波器４４、増幅器４５およびＡＧＣ４７の構成および動作は、実施の形態１に示した車載テレビ装置１と同様であるので、同一の符号を付して説明を省略する。
【０１２６】
アナログ復調部４８ａは、実施の形態１に示したアナログ復調部４８と同様に、その内部に同期分離部５１、ＡＦＣ５２、ＹＣ分離部５３およびＲＧＢ復調部５４を有する。ここで、アナログ復調部４８ａは、ＡＦＣ５２の出力を切替部１２に出力するとともにＣＰＵ４２に供給している。
【０１２７】
ＣＰＵ４２は、このＡＦＣ５２の出力（安定化水平同期信号）の周期を監視し、一定の周期であればアナログ放送を受信可能であると判定する。このように安定化水平同期信号が安定しているならば、車両が移動している状態であっても電波の受信状態が安定していると判断でき、安定した品質の放送受信をおこなうことができる。
【０１２８】
また、アナログ放送の有無を判定する方法として、色副搬送波の安定度を用いてもよい。図１３は、色副搬送波の安定度を用いてアナログ放送の受信可否を判定する車載テレビ装置の概要構成を示す図である。同図に示すように、車載テレビ装置１ｃは、デジタルテレビ受信器２０、アナログテレビ受信器６０ｂ、主制御部１１、切替部１２、モニタ１３を有する。
【０１２９】
ここで、デジタルテレビ受信器２０、主制御部１１、切替部１２およびモニタ１３の構成および動作は、実施の形態１に示した車載テレビ装置１と同様であるので、同一の符号を付して説明を省略する。
【０１３０】
アナログテレビ受信器６０ｂは、その内部にアナログチューナ４１、ＣＰＵ４２、チャンネルテーブル４３、ＩＦ検波器４４、増幅器４５、ＡＧＣ４７およびアナログ復調部４８ｂを有する。なお、アナログチューナ４１、ＣＰＵ４２、チャンネルテーブル４３、ＩＦ検波器４４、増幅器４５およびＡＧＣ４７の構成および動作は、実施の形態１に示した車載テレビ装置１と同様であるので、同一の符号を付して説明を省略する。
【０１３１】
アナログ復調部４８ｂは、その内部に同期分離部５１、ＡＦＣ５２、ＹＣ分離部５３、ＲＧＢ復調部５４およびカラーバースト平均化処理部６２を有する。カラーバースト平均化処理部６２は、図１４に示すように、その内部に平均化処理部６２ａ、振幅算出部６２ｂおよびバースト抽出部６２ｃを有する。
【０１３２】
バースト抽出部６２ｃは、ＡＦＣ５２から同期信号（バーストゲートパルス）を取得し、ＹＣ分離部５３からＣ信号（色信号）を取得する。バースト抽出部６２ａは、Ｃ信号に含まれるカラーバースト信号（色副搬送波）をバーストゲートパルスのタイミングで抽出し、振幅算出部６２ｂに出力する。振幅算出部６２ｂは、抽出された色副搬送波の振幅を算出し、平均化処理部６２ａに出力する。平均化処理部６２ａは、振幅算出部６２ｂが算出した振幅値を数ライン分平均化してＣＰＵ４２に送信する。
【０１３３】
ＣＰＵ４２は、カラーバースト平均化処理部６２が出力した色副搬送波の平均値が一定の閾値以上であればアナログ放送を受信可能であると判定する。このように色副搬送波が安定しているならば、車両が移動している状態であっても電波の受信状態が安定していると判断でき、安定した品質の放送受信をおこなうことができる。
【０１３４】
上述してきたように、本実施の形態２に示した車載テレビ装置１ａ，１ｂ，１ｃでは、受信強度の変化量、同期信号の安定度、色副搬送波の安定度を用いてアナログ放送の有無を判定することができる。
【０１３５】
なお、本実施の形態２では、受信強度の変化量、同期信号の安定度、色副搬送波の安定度をそれぞれ単独で用いてアナログ放送の有無を判定しているが、受信強度の変化量、同期信号の安定度、色副搬送波の安定度および実施の形態１に示した受信強度の平均値を組みわせて使用し、アナログ放送の有無を判定することとしてもよい。
【０１３６】
（実施の形態３）
上述した実施の形態１，２では、デジタルテレビ受信器とアナログテレビ受信器とでそれぞれ独立してチャンネルテーブルを管理しているが、アナログ放送とデジタル放送のチャンネルテーブルを一括して管理するように構成してもよい。
本実施の形態３では、アナログ放送とデジタル放送のチャンネルテーブルを一括して管理する車載テレビ装置について説明する。また、本実施の形態３では、デジタルテレビ受信器の制御とアナログテレビ受信器の制御とを主制御部によって一括して行う構成とする。
【０１３７】
図１５は、本実施の形態３にかかる車載テレビ装置の概要構成を示す概要構成図である。図１５において車載テレビ装置１は、アンテナ２，４、デジタルテレビ受信器７０、アナログテレビ受信器７１、主制御部７２、切替部１２およびモニタ１３を有する。
【０１３８】
デジタルテレビ受信器７０は、その内部にデジタルチューナ２１、チャンネルテーブル２３、ＭＰＥＧデコーダ２４およびデジタル復調部２５を有する。また、アナログテレビ受信器７１は、その内部にアナログチューナ４１、チャンネルテーブル４３、ＩＦ検波器４４、増幅器４５、平均化処理部４６、ＡＧＣ４７およびアナログ復調部４８を有する。これらの構成要素の動作は、実施の形態１に示した車載テレビ装置１と同様であるので、同一の符号を付して説明を省略する。
【０１３９】
主制御部７２は、車載テレビ装置１を全体制御する制御部であり、デジタルテレビ受信器２０、アナログテレビ受信器４０を制御するとともに、切替部１２を制御してデジタル放送とアナログ放送のいずれかをモニタ１３に表示させる。ここで、主制御部７２は、実施の形態１においてＣＰＵ２２，４２が担っていた処理を実行可能である。また、主制御部７２は、その内部にチャンネルテーブル７３を有する。
【０１４０】
チャンネルテーブル７３は、アナログ放送チャンネルとその最終視聴チャンネル、デジタル放送チャンネルとその最終視聴チャンネルを記憶している。図１６にチャンネルテーブル７３の具体例を示す。同図に示したチャンネルテーブル７３では、アナログ放送チャンネルとして１チャンネル、３チャンネル、５チャンネル、７チャンネルを記憶し、アナログ放送の最終視聴チャンネルとして３チャンネルを記憶している。また、チャンネルテーブル７３は、デジタル放送チャンネルとして２チャンネル、６チャンネルを記憶し、デジタル放送の最終視聴チャンネルとして６チャンネルを記憶している。
【０１４１】
主制御部７２は、デジタルテレビ受信器がデジタル放送を受信中である場合に、アナログテレビ受信器７１にアナログ放送をスキャンさせてチャンネルテーブル７３を更新する。また、デジタル放送チャンネルをスキャンする場合に、チャンネルテーブル７３を参照してアナログ放送チャンネルをスキップさせることにより、高速なスキャンを実現する。
【０１４２】
なお、実施の形態１と同様に、無放送チャンネルをさらに検索し、チャンネルテーブル７３に記憶させることで、デジタル放送のスキャンをさらに高速化するように構成してもよい。
【０１４３】
ところで、周波数帯のどのチャンネルでどの放送が行われているかは、その地域によって決まる。そこで、図１７に示すような放送内容テーブル７５を主制御部７２が記憶することで、アナログ放送チャンネル配置と、デジタル放送のチャンネル配置から、放送内容を特定することができる。
【０１４４】
例えば、図１７に示した放送内容テーブル７５では、地域αおいては１チャンネルにアナログＡ局、２チャンネルにデジタルＣ局、３チャンネルにアナログＢ局、５チャンネルにアナログＣ局、６チャンネルにデジタルＡ局、７チャンネルにアナログＤ局が配置されている。一方、地域βでは、２チャンネルにアナログＡ局、３チャンネルにデジタルＤ局、４チャンネルにアナログＢ局、６チャンネルにアナログＣ局、７チャンネルにデジタルＤ局が配置されている。
【０１４５】
したがって、この放送内容テーブル７５を参照すれば、使用者から指定された放送内容にしたがって、適切なチャンネルを選択し、受信することができる。また、チャンネルのスキャンの結果、その地域が特定できたならば、その後はスキャンを行うことなくチャンネルの配置を推測することができる。さらに、ＧＰＳなどを利用し、自車両がどの地域を走行中であるかが特定できれば、チャンネルの配置が推測可能となる。
【０１４６】
上述してきたように、本実施の形態３に示した車載テレビ装置１ｄでは、デジタルテレビ受信器７０とアナログテレビ受信器７１とを主制御部７２によって一括して制御し、デジタル放送チャンネルとアナログ放送チャンネルとを主制御部７２内部のチャンネルテーブル７３によって一括して管理するようにしているので、簡易な構成でデジタル放送のスキップスキャンを実現することができる。
【０１４７】
さらに、各地域における放送チャンネルの配置を予め記憶しておくことで、スキャン処理をさらに高速化するとともに、指定された放送内容に対応するチャンネルを自動的に選択し、受信することができる。
【０１４８】
【発明の効果】
以上説明したように、請求項１の発明によれば、受信装置は、周波数帯からアナログ放送が行われているチャンネルを検索し、アナログ放送が行われていないチャンネルから選択的にデジタル放送チャンネルを検索するので、受信可能なチャンネルを高速に検索可能な受信装置が得られるという効果を奏する。
【０１４９】
また、請求項２の発明によれば受信装置は、デジタルチューナがデジタル放送を受信している間に、アナログチューナを使用してアナログ放送チャンネルを検索し、デジタル放送チャンネルを検索する場合にアナログ放送が行われていないチャンネルから検索を行うので、アナログチューナを有効に利用し、受信可能なチャンネルを高速に検索可能な受信装置が得られるという効果を奏する。
【０１５０】
また、請求項３の発明によれば受信装置は、デジタルチューナがデジタル放送を受信している間に、アナログチューナを使用したアナログ放送チャンネルの検索を継続的に繰り返し、デジタル放送チャンネルを検索する場合にアナログ放送が行われていないチャンネルから検索を行うので、常に最新のアナログ放送チャンネルを使用し、受信可能なチャンネルを高速に検索可能な受信装置が得られるという効果を奏する。
【０１５１】
また、請求項４の発明によれば受信装置は、受信電波強度の平均値に基づいてアナログ放送チャンネルを検索し、アナログ放送が行われていないチャンネルから選択的にデジタル放送チャンネルを検索するので、アナログ放送チャンネルを簡易に検索し、受信可能なデジタル放送チャンネルを高速に検索可能な受信装置が得られるという効果を奏する。
【０１５２】
また、請求項５の発明によれば受信装置は、受信電波強度の変化量に基づいてアナログ放送チャンネルを検索し、アナログ放送が行われていないチャンネルから選択的にデジタル放送チャンネルを検索するので、安定して受信可能なアナログ放送チャンネルを検索し、受信可能なデジタル放送チャンネルを高速に検索可能な受信装置が得られるという効果を奏する。
【０１５３】
また、請求項６の発明によれば受信装置は、同期信号の安定度に基づいてアナログ放送チャンネルを検索し、アナログ放送が行われていないチャンネルから選択的にデジタル放送チャンネルを検索するので、安定して受信可能なアナログ放送チャンネルを検索し、受信可能なデジタル放送チャンネルを高速に検索可能な受信装置が得られるという効果を奏する。
【０１５４】
また、請求項７の発明によれば受信装置は、色副搬送波の安定度に基づいてアナログ放送チャンネルを検索し、アナログ放送が行われていないチャンネルから選択的にデジタル放送チャンネルを検索するので、安定して受信可能なアナログ放送チャンネルを検索し、受信可能なデジタル放送チャンネルを高速に検索可能な受信装置が得られるという効果を奏する。
【０１５５】
また、請求項８の発明によれば受信装置は、アナログチューナもしくはデジタルチューナが放送受信中である場合に、放送を受信していないチューナを用いてアナログ放送およびデジタル放送のどちらも放送していない無放送チャンネルを検出し、放送受信中のチューナがスキャンもしくはサーチを行う場合に無放送チャンネルを除外するので、受信可能なチャンネルをさらに高速に検索可能な受信装置が得られるという効果を奏する。
【０１５６】
また、請求項９の発明によれば受信装置は、デジタルチューナが受信すべきチャンネルを指定され、かつ指定されたチャンネルにデジタル放送が行われていない場合、指定されたチャンネル近傍のデジタル放送チャンネルを受信するので、車両が移動した場合であっても、チューナ切替時に常に放送内容を表示可能な受信装置が得られるという効果を奏する。
【０１５７】
また、請求項１０の発明によれば受信方法は、周波数帯からアナログ放送が行われているチャンネルを検索し、アナログ放送が行われていないチャンネルから選択的にデジタル放送チャンネルを検索するので、受信可能なチャンネルを高速に検索可能な受信方法が得られるという効果を奏する。
【０１５８】
また、請求項１１の発明によれば受信方法は、デジタルチューナがデジタル放送を受信している間に、アナログチューナを使用してアナログ放送チャンネルを検索し、デジタル放送チャンネルを検索する場合にアナログ放送が行われていないチャンネルから検索を行うので、アナログチューナを有効に利用し、受信可能なチャンネルを高速に検索可能な受信方法が得られるという効果を奏する。
【０１５９】
また、請求項１２の発明によれば受信方法は、デジタルチューナがデジタル放送を受信している間に、アナログチューナを使用したアナログ放送チャンネルの検索を継続的に繰り返し、デジタル放送チャンネルを検索する場合にアナログ放送が行われていないチャンネルから検索を行うので、常に最新のアナログ放送チャンネルを使用し、受信可能なチャンネルを高速に検索可能な受信方法が得られるという効果を奏する。
【０１６０】
また、請求項１３の発明によれば受信方法は、受信電波強度の平均値に基づいてアナログ放送チャンネルを検索し、アナログ放送が行われていないチャンネルから選択的にデジタル放送チャンネルを検索するので、アナログ放送チャンネルを簡易に検索し、受信可能なデジタル放送チャンネルを高速に検索可能な受信方法が得られるという効果を奏する。
【０１６１】
また、請求項１４の発明によれば受信方法は、受信電波強度の変化量に基づいてアナログ放送チャンネルを検索し、アナログ放送が行われていないチャンネルから選択的にデジタル放送チャンネルを検索するので、安定して受信可能なアナログ放送チャンネルを検索し、受信可能なデジタル放送チャンネルを高速に検索可能な受信方法が得られるという効果を奏する。
【０１６２】
また、請求項１５の発明によれば受信方法は、同期信号の安定度に基づいてアナログ放送チャンネルを検索し、アナログ放送が行われていないチャンネルから選択的にデジタル放送チャンネルを検索するので、安定して受信可能なアナログ放送チャンネルを検索し、受信可能なデジタル放送チャンネルを高速に検索可能な受信方法が得られるという効果を奏する。
【０１６３】
また、請求項１６の発明によれば受信方法は、色副搬送波の安定度に基づいてアナログ放送チャンネルを検索し、アナログ放送が行われていないチャンネルから選択的にデジタル放送チャンネルを検索するので、安定して受信可能なアナログ放送チャンネルを検索し、受信可能なデジタル放送チャンネルを高速に検索可能な受信方法が得られるという効果を奏する。
【０１６４】
また、請求項１７の発明によれば受信方法は、アナログチューナもしくはデジタルチューナが放送受信中である場合に、放送を受信していないチューナを用いてアナログ放送およびデジタル放送のどちらも放送していない無放送チャンネルを検出し、放送受信中のチューナがスキャンもしくはサーチを行う場合に無放送チャンネルを除外するので、受信可能なチャンネルをさらに高速に検索可能な受信方法が得られるという効果を奏する。
【０１６５】
また、請求項１８の発明によれば受信方法は、デジタルチューナが受信すべきチャンネルを指定され、かつ指定されたチャンネルにデジタル放送が行われていない場合、指定されたチャンネル近傍のデジタル放送チャンネルを受信するので、車両が移動した場合であっても、チューナ切替時に常に放送内容を表示可能な受信方法が得られるという効果を奏する。
【図面の簡単な説明】
【図１】本発明の実施の形態１である車載テレビ装置の概要構成を説明する概要構成図である。
【図２】図１に示したチャンネルテーブルの具体例を説明する説明図である。
【図３】図１に示した車載テレビ装置におけるデジタル放送スキャンを説明する説明図である。
【図４】図１に示したアナログテレビ受信器の処理動作を説明するフローチャートである。
【図５】図１に示したデジタルテレビ受信器がスキャンを実行する場合の処理動作を説明するフローチャートである。
【図６】無放送チャンネルを記憶したチャンネルテーブルを説明する説明図である。
【図７】アナログ放送チャンネルおよび無放送チャンネルを除外したスキャンを説明する説明図である。
【図８】無放送チャンネルの識別を行う場合におけるアナログテレビ受信器の処理動作を説明するフローチャートである。
【図９】デジタルテレビ受信器がアナログ放送チャンネルと無放送チャンネルをスキップする場合の処理動作を説明するフローチャートである。
【図１０】受信強度の変化量を用いてアナログ放送の受信可否を判定する車載テレビ装置の概要構成を示す図である。
【図１１】図１０に示した変化量算出部の概要構成を説明する説明図である。
【図１２】同期信号の安定度を用いてアナログ放送の受信可否を判定する車載テレビ装置の概要構成を示す図である。
【図１３】色副搬送波の安定度を用いてアナログ放送の受信可否を判定する車載テレビ装置の概要構成を示す図である。
【図１４】図１３に示したカラーバースト平均化処理部の概要構成を説明する説明図である。
【図１５】本実施の形態３にかかる車載テレビ装置の概要構成を示す概要構成図である。
【図１６】図１５に示したチャンネルテーブル７３の具体例を説明する説明図である。
【図１７】地域ごとのチャンネル配置を記憶する放送内容テーブルについて説明する説明図である。
【符号の説明】
１    車載テレビ装置
２，３    アンテナ
１１，７２    主制御部
１２    切替部
１３    モニタ
２０，７０    デジタルテレビ受信器
２１    デジタルチューナ
２２，４２    ＣＰＵ
２３，２３ａ，２３ｂ，２３ｃ，４３，４３ａ，７３    チャンネルテーブル
２４    ＭＰＥＧデコーダ
２５    デジタル復調部
３１，４７    ＡＧＣ
３２    ＡＤＣ
３３    データシンボル読み出し部
３４    復号処理部
３５    ＴＳバッファ
４０，６０，６０ａ，６０ｂ，６０ｃ，７１    アナログテレビ受信器
４１    アナログチューナ
４４    ＩＦ検波器
４５    増幅器
４６    平均化処理部
４８，４８ａ，４８ｂ    アナログ復調部
５１    同期分離部
５２    ＡＦＣ
５３    ＹＣ分離部
５４    ＲＧＢ復調部
６１    変化量算出部
６１ａ  絶対値回路
６１ｂ  遅延回路
６２    カラーバースト平均化処理部
６２ａ  平均化処理部
６２ｂ  振幅算出部
６２ｃ  バースト抽出部
７３    放送内容テーブル
【図１】
2005064585.tif 000003
【図２】
2005064585.tif 000004
【図３】
2005064585.tif 000005
【図４】
2005064585.tif 000006
【図５】
2005064585.tif 000007
【図６】
2005064585.tif 000008
【図７】
2005064585.tif 000009
【図８】
2005064585.tif 000010
【図９】
2005064585.tif 000011
【図１０】
2005064585.tif 000012
【図１１】
2005064585.tif 000013
【図１２】
2005064585.tif 000014
【図１３】
2005064585.tif 000015
【図１４】
2005064585.tif 000016
【図１５】
2005064585.tif 000017
【図１６】
2005064585.tif 000018
【図１７】
2005064585.tif 000019